(57)【要約】      （修正有）【課題】光柱およびデジタル表示を有する血圧計を提供する。【解決手段】血圧計は、順次接続されたカフ１、制御回路、および表示コンポーネント２を含む。表示コンポーネント２は、その表示コンポーネントのパネルに取り付けられた光柱およびデジタル表示３を含む。制御回路は、カフ１内の空気圧を測定し、光柱およびデジタル表示３を駆動して、測定された血圧を表示させるために、表示コンポーネント２のケース内に配設されている。光柱およびデジタル表示３は、ＬＥＤ光柱、ＬＣＤ光柱、ＬＥＤデジタル表示、ＬＣＤデジタル表示、光柱およびデジタル表示の組合せ、または上記の任意の組合せからなる群から選択される。【選択図】図１
0003162855.tif 000002
【実用新案登録請求の範囲】
【請求項１】
順次接続されたアームカフ、制御回路、および表示コンポーネントを含む血圧計であって、前記表示コンポーネントは、前記表示コンポーネントのパネルに取り付けられた光柱およびデジタル表示を含み、前記制御回路は、血圧を測定する目的で、前記アームカフ内部の空気圧を感知し、前記光柱およびデジタル表示を駆動して表示させるために、前記表示コンポーネントのケース内に配設されていることを特徴とする血圧計。
【請求項２】
前記制御回路が、前記アームカフ内部の空気圧を感知してアナログ電気信号を取得するために前記アームカフに接続されている圧力センサーと、
前記アナログ電気信号をデジタル電気信号に変換するために前記圧力センサーに接続されているＡ／Ｄ変換器と、
前記デジタル電気信号を分析し処理して駆動信号を生成するためにＡ／Ｄ変換器に接続されている中央処理ユニット（ＣＰＵ）と、
前記駆動信号に応じて前記光柱およびデジタル表示を駆動して表示させるために前記ＣＰＵに接続されている表示ドライバとを含む、請求項１に記載の血圧計。
【請求項３】
前記光柱およびデジタル表示が、ＬＥＤ光柱、ＬＣＤ光柱、ＬＥＤデジタル表示、およびＬＣＤデジタル表示のいずれか、または前記光柱およびデジタル表示の任意の組合せを含む、請求項２に記載の血圧計。
【請求項４】
前記光柱およびデジタル表示がＬＥＤ光柱またはＬＣＤ光柱を含む場合に、前記ＬＥＤ光柱またはＬＣＤ光柱に対応する前記パネル上の位置に血圧の目盛が記されている、請求項３に記載の血圧計。
【請求項５】
前記ＬＣＤ光柱が、前記表示ドライバの駆動中に前記測定値のＬＣＤ光柱表示を実現するために、前記表示ドライバに接続されている細長い円柱状のＬＣＤ液晶パネルを含む、請求項３または４のいずれか一項に記載の血圧計。
【請求項６】
前記ＬＣＤ光柱が、前記ＬＣＤ液晶パネルの下に設置された細長い円柱状のＬＥＤのバックライト光源をさらに含む、請求項５に記載の血圧計。
【請求項７】
前記ＬＥＤ光柱が、固定エンクロージャと、回路基板とを備えており、前記固定エンクロージャ上にはラスターが配設されており、前記回路基板は前記固定エンクロージャ内に配設され、前記回路基板上にはＬＥＤ表示デバイスが配設され、前記ＬＥＤ表示デバイスの同じ極性の一方の端部がまとめて前記表示ドライバに接続され、前記複数のＬＥＤ表示デバイスの同じ極性の他方の端部が別個に前記表示ドライバに接続されている、請求項３に記載の血圧計。
【請求項８】
前記ＬＥＤ光柱が、固定エンクロージャと、回路基板と、ラスターバーとを備えており、前記ラスターバーは前記固定エンクロージャと嵌め合い連結されており、前記ラスターバーはラスターを備えており、前記回路基板は前記固定エンクロージャ内部に取り付けられ、前記回路基板上はＬＥＤ表示デバイスを備えており、前記ＬＥＤ表示デバイスの同じ極性の一方の端部がまとめて前記表示ドライバに接続され、前記ＬＥＤ表示デバイスの同じ極性の他方の端部が別個に前記表示ドライバに接続されている、請求項３に記載の血圧計。
【請求項９】
前記ＬＥＤ表示コンポーネントが、樹脂でパッケージされたＬＥＤチップまたはＬＥＤ発光管である、請求項７または８のいずれか一項に記載の血圧計。
【請求項１０】
順次接続されたアームカフ、制御回路、および表示コンポーネントを含む血圧計の測定および表示方法であって、血圧を測定する目的で、前記アームカフ内部の空気圧を感知し、前記表示コンポーネントのパネルに取り付けられた光柱およびデジタル表示を駆動して表示させるための測定および表示するステップを含むことを特徴とする方法。
【請求項１１】
前記測定および表示するステップが、
圧力センサーによって前記アームカフ内部の空気圧を感知してアナログ電気信号を取得するステップと、
前記アナログ電気信号をデジタル電気信号に変換するステップと、
前記デジタル電気信号を分析および処理して駆動信号を生成するステップと、
前記駆動信号に応じて前記光柱およびデジタル表示を駆動して表示させるステップとをさらに含む、請求項１０に記載の方法。
【考案の詳細な説明】
【技術分野】
【０００１】
関連出願の相互参照
本出願は、２００７年４月１０日に出願された中国実用新案出願第２００７２０１０７９８１．５号の優先権を主張し、その全体を参照によって本願に援用する。
【０００２】
本考案は、血圧計ならびにその測定および表示方法に関し、詳細には、光柱およびデジタル表示を有する血圧計ならびにその測定および表示方法に関する。
【背景技術】
【０００３】
コロトコフ音方式の原理によって血圧を測定し表示する従来技術によるこれまでの水銀柱血圧計は、先進諸国および地域では、製造環境への水銀汚染および製品の脆さによる環境への水銀汚染のため、製造、販売、および使用が禁止されており、ヨーロッパ共同体（ＥＣ）はすべての水銀鉱山を閉鎖し、水銀を含む製品の全輸出入取引を禁止している。中国では、生活水準が向上し、国民の環境保護への認識が高まるにつれて、水銀柱血圧計の製造および販売を禁止または制限する傾向になってきている。また、従来の水銀柱血圧計は単色表示である；ポインター式血圧メータは、弾性的要素を使用して、小さな表示パネルおよび密集した目盛で測定を行うので、測定の際の視認において人為的要因が生じやすく、安定性が悪く、弾性的要素は変形しやすく、したがって大きな測定エラーおよび不正確な読み取りが起きやすい。さらに、オシロメトリック方式の原理によって血圧を測定し表示する電子血圧計では、外部要因による影響を受けやすく、血圧測定の精度および信頼性が低いという問題がある。
【考案の概要】
【考案が解決しようとする課題】
【０００４】
したがって、測定の正確性、精度、信頼性、および安定性を高め、環境への水銀汚染問題を解決するために、新しい様式の血圧測定および表示デバイスを見出すことが望ましい。
【課題を解決するための手段】
【０００５】
本考案の目的は、技術的問題を解決し、すなわち従来技術における前記の欠点を改善し、それにより光柱または光柱およびデジタル表示を有する血圧計を提供することである。血圧計は、国際的に医療分野で認知されているコロトコフ音方式の非侵襲的な間接測定原理に従い、現在の水銀血圧計に代わって簡便で効果的かつ安全に血圧を測定して読み取ることが可能であり、コロトコフ音方式の電子処理化が実現される。
【０００６】
本考案の１つの態様によれば、順次接続されたアームカフ、制御回路、および表示コンポーネントを含む血圧計であって、表示コンポーネントは、その表示コンポーネントのパネルに取り付けられた光柱およびデジタル表示を含み、制御回路は、血圧を測定する目的で、アームカフ内部の空気圧を感知し、光柱およびデジタル表示を駆動して表示させるために、表示コンポーネントのケース内に配設されていることを特徴とする血圧計が提供される。
【０００７】
制御回路は、アームカフ内部の空気圧を感知してアナログ電気信号を取得するためにアームカフに接続されている圧力センサー、アナログ電気信号をデジタル電気信号に変換するために圧力センサーに接続されているＡ／Ｄ変換器、デジタル電気信号を分析し処理して駆動信号を生成するためにＡ／Ｄ変換器に接続されている中央処理ユニット（ＣＰＵ）、および駆動信号に応じて光柱およびデジタル表示を駆動して表示させるためにＣＰＵに接続されている表示ドライバを含む。
【０００８】
光柱およびデジタル表示は、ＬＥＤ光柱、ＬＣＤ光柱、ＬＥＤデジタル表示、およびＬＣＤデジタル表示のいずれか、または光柱およびデジタル表示の任意の組合せを含む。
【０００９】
光柱およびデジタル表示がＬＥＤ光柱またはＬＣＤ光柱を含む場合、ＬＥＤ光柱またはＬＣＤ光柱に対応するパネル上の位置には、測定値を表示するための目盛が記されている。
【００１０】
ＬＣＤ光柱は、表示ドライバの駆動中に測定値のＬＣＤ光柱表示を実現するために、表示ドライバに接続されている細長い円柱状のＬＣＤ液晶パネルを含む。
【００１１】
ＬＣＤ光柱はまた、ＬＣＤ液晶パネルの下に設置された細長い円柱状のＬＥＤのバックライト光源を含む。
【００１２】
ＬＥＤ光柱は、固定エンクロージャおよび回路基板を備えており、固定エンクロージャ上にはラスターが配設されており、回路基板が固定エンクロージャ内に配設され、回路基板上には複数のＬＥＤ表示要素が配設され、複数のＬＥＤ表示要素の同じ極性の一方の端部がまとめて表示ドライバに接続され、複数のＬＥＤ表示要素の同じ極性の他方の端部が別個に表示ドライバに接続されている。
【００１３】
ＬＥＤ光柱は、固定エンクロージャ、回路基板、およびラスターバーを備えており、ラスターバーは固定エンクロージャと嵌め合い連結されており、ラスターバーはラスターを備えており、回路基板が固定エンクロージャ内部に取り付けられ、回路基板上には複数のＬＥＤ表示要素が設けられ、複数のＬＥＤ表示要素の同じ極性の一方の端部がまとめて表示ドライバに接続され、複数のＬＥＤ表示要素の同じ極性の他方の端部が別個に表示ドライバに接続されている。
【００１４】
ＬＥＤ表示要素は、ＬＥＤチップまたはＬＥＤ発光管である。
【００１５】
本考案の別の態様によれば、順次接続されたアームカフ、制御回路、および表示コンポーネントを含む血圧計の測定および表示方法であって、血圧を測定する目的で、アームカフ内部の空気圧を感知し、表示コンポーネントのパネルに取り付けられた光柱およびデジタル表示を駆動して表示させるための測定および表示するステップを含むことを特徴とする方法が提供される。
【００１６】
測定および表示するステップは、圧力センサーによってアームカフ内部の空気圧を感知してアナログ電気信号を取得するステップ、アナログ電気信号をデジタル電気信号に変換するステップ、デジタル電気信号を分析および処理して駆動信号を生成するステップ、および駆動信号に応じて光柱およびデジタル表示を駆動して表示させるステップをさらに含む。
【００１７】
従来技術と比較して、光柱または光柱およびデジタル表示を有する本考案の血圧計は、以下の利点および効果を有する：その構造および設計が合理的であり、国際的に医療分野で認知されているコロトコフ音方式の原理に従っており、使用および読み取りの習慣的な方法は変わらないままであり、直覚的および観察可能な表示、耐振動性、耐過負荷性、長寿命、高精度、高信頼度であり、従来の水銀血圧計に代わって、簡便で効果的かつ安全に血圧が測定され、環境を汚染せず、操作の安全性が改善され、環境に優しい製品である。
【図面の簡単な説明】
【００１８】
【図１】本考案による血圧計の構造を示す図である。
【図２】本考案による血圧計の制御回路の構造を示す図である。
【図３】本考案による血圧計のＬＥＤ光柱の構造を示す図である。
【図４】本考案の別の実施形態による血圧計のＬＥＤ光柱の構造を示す図である。
【図５】図３および４に示すＬＥＤ光柱の回路基板の構造を示す図である。
【図６】本考案による血圧計の測定および表示方法を示すフローチャートである。
【考案を実施するための形態】
【００１９】
図１を参照すると、光柱およびデジタル表示を有する本考案の血圧計が、アームカフ１、表示コンポーネント２、および表示コンポーネント２のケース内部に配設された制御回路４（図１には表示せず）を含む。光柱およびデジタル表示３が、表示コンポーネント２のパネルに取り付けられ、例えば光柱３−１およびデジタル表示３−２を含む。
【００２０】
図２を参照すると、制御回路４は、圧力センサー４−１、Ａ／Ｄ変換器４−２、中央処理装置（ＣＰＵ）４−３、およびＣＰＵに接続された表示ドライバ４−４を含む。圧力センサー４−１は、アームカフ１内部の空気圧を感知するために、アームカフ１に接続されており、アナログ電気信号を取得し、それをＡ／Ｄ変換器４−２に送信する。Ａ／Ｄ変換器４−２は、アナログ電気信号をデジタル電気信号に変換し、ＣＰＵ４−３に送信するために、ＣＰＵ４−３に接続されている。ＣＰＵ４−３は、デジタル電気信号を分析し処理するために、表示ドライバ４−４に接続されており、駆動信号を生成し、それを表示ドライバ４−４に送信する。表示ドライバ４−４は、光柱およびデジタル表示３を駆動するために、光柱およびデジタル表示３に接続されており、駆動信号に応じて表示する。制御回路４ならびに光柱およびデジタル表示３は、従来の水銀柱血圧計の測定方法に代わる光柱およびデジタル表示モジュールを構成する。
【００２１】
本考案の光柱およびデジタル表示３は、ＬＥＤ光柱、ＬＣＤ光柱、ＬＥＤデジタル表示、およびＬＣＤデジタル表示のいずれか、または光柱およびデジタル表示の任意の組合せを含む。光柱およびデジタル表示はどちらも制御回路４の表示ドライバ４−４に接続されている。
【００２２】
図３を参照すると、本考案によるＬＥＤ光柱の１つの構造が示されている。ＬＥＤ光柱は、固定エンクロージャ５、回路基板６を備えており、固定エンクロージャ５上にはラスター５−１が設けられ、ラスター５−１は固定エンクロージャ５の上面または下面のどちらに設けることもできる（本実施形態では上面に設けられている）。回路基板６は、固定エンクロージャ５内部に取り付けられ、制御回路４の表示ドライバ４−４に接続されている。
【００２３】
図４を参照すると、本考案によるＬＥＤ光柱の別の構造が示されている。ＬＥＤ光柱は、固定エンクロージャ７、回路基板６、およびラスターバー８を備えており、ラスターバー８および固定エンクロージャ７は、固定エンクロージャ７の固定溝７−３によって嵌め合い連結されており、ラスターバー８上にはラスター８−１が設けられ、ラスター８−１はラスターバー８の上面または下面のどちらに設けることもできる（本実施形態では上面に設けられている）。回路基板６は、固定エンクロージャ７内部に取り付けられ、制御回路４の表示ドライバ４−４に接続されている。
【００２４】
図５を参照すると、図３および４に示すＬＥＤ光柱の回路基板６が、ＬＥＤ表示デバイス６−１を備えている。ＬＥＤ表示デバイス６−１は、樹脂でパッケージされたＬＥＤチップまたはＬＥＤ発光管のいずれかを使用することができ、その数は、数個、数十個、数百個、またはそれ以上とすることができる。ＬＥＤ表示デバイス６−１の陽極端は、まとめて制御回路４の表示ドライバ４−４に接続される。ＬＥＤ表示デバイス６−１の陰極端は、別個に制御回路４の表示ドライバ４−４に接続される。あるいは、ＬＥＤ表示デバイス６−１の陰極端は、まとめて制御回路４の表示ドライバ４−４に接続される。ＬＥＤ表示デバイス６−１の陽極端は、別個に制御回路４の表示ドライバ４−４に接続される。表示ドライバ４−４は、駆動信号の大きさに応じて、対応する数のＬＥＤ表示デバイス６−１を発光し、それによりＬＥＤ光柱を形成する。
【００２５】
実際の使用時には、ＬＥＤチップ（ＬＥＤ発光管）は、表示ドライバ４−４によって駆動されると、柔らかく明るい色彩の光を発し、それによりカラー表示が実現される。
【００２６】
本考案の光柱およびデジタル表示３がＬＥＤ光柱またはＬＣＤ光柱を含む場合、ＬＥＤ光柱またはＬＣＤ光柱に対応するパネル上の位置には、血圧の目盛が記されている。
【００２７】
ＬＣＤ光柱はＬＣＤ液晶パネル上の細長い円柱状の表示バーであり、目盛の範囲内で上下に動く。ＬＣＤ光柱は、表示ドライバの駆動中に測定値のＬＣＤ光柱表示を実現するように、表示ドライバに接続されている細長い円柱状のＬＣＤ液晶パネルを含む。さらに、ＬＣＤ光柱表示がよりはっきりと美しく見えるように、ＬＣＤ液晶パネルの下に細長い円柱状のＬＥＤのバックライト光源を取り付けることができる。
【００２８】
本考案の光柱およびデジタル表示３は、ＬＥＤデジタル表示またはＬＣＤデジタル表示のいずれかとすることのできるデジタル表示のみを含むこともできる。
【００２９】
本考案による血圧計の使用および測定の原理を示す例として、ＬＥＤ光柱を以下の通り説明する。
【００３０】
アームカフが上腕−手首上で上腕動脈に装着され、聴診器頭部が上腕動脈に沿ってアームカフの下に置かれている。空気袋が膨張および圧縮され、次いで圧力センサー４−１がアームカフ内部の空気圧を感知し、アームカフ内部の圧力に対応するアナログ電気信号を生成する。アナログ電気信号はＡ／Ｄ変換器４−２によってデジタル電気信号に変換され、分析および処理のためにＣＰＵ４−３へと送られて、駆動信号を生成する。表示ドライバ４−４は、例えばＬＥＤ光柱を駆動信号に応じて表示し、アームカフ内部の空気圧が上昇するほどＬＥＤ光柱がより高くなるようになっている。空気圧がある値に達すると、アームカフ内部の空気圧が血管を押圧して、血流を完全に遮断し、この時点で聴診器に血流音が聞こえなくなる。次いで、アームカフが徐々に収縮および減圧され、空気圧の低下とともにＬＥＤ光柱が下がることが観察される。聴診器によって最初の音が聞こえ、または感知されるとき、測定された血圧が高圧、すなわち収縮期圧とみなされる。ＬＥＤ光柱の対応する目盛またはデジタル表示が観察され、すなわち、血圧の高圧値が測定される。次いで、アームカフの収縮および減圧が続けられ、最後の音、すなわち消えていく音が聞こえるまで、または聴診器によって低圧、すなわち拡張期圧として感知されるまで、ＬＥＤ光柱が下がり続けることが観察される。その後、血管は完全に元の形状に回復する。ＬＥＤ光柱の対応する目盛またはデジタル表示が観察され、したがって血圧の低圧値が測定される。
【００３１】
したがって、本考案の血圧計は、国際的に医療分野で認知されているコロトコフ音方式の非侵襲的な間接測定原理に従い、簡便で効果的かつ安全に血圧を測定して読み取ることが可能であり、それによりコロトコフ音方式の電子処理化および情報処理化が実現される。
【００３２】
さらに、本考案の表示コンポーネントは、新しい光柱ならびに光柱およびデジタル表示を使用するものであり、ＬＥＤ光柱およびＬＣＤ光柱は、従来の水銀柱表示と同様に表示が連続的に変化するという特徴を有するが、よりはっきりと観察可能で鮮明に表示するプロセスを含む。光柱ならびに光柱およびデジタル表示によって、現在の水銀血圧計に代わる、より直覚的な読み取りが可能になり、製造環境および使用環境に対する水銀の汚染が避けられる。
【００３３】
本考案の血圧計はＡＣまたはＤＣによって電力供給され、光柱およびデジタル表示３ならびに制御回路４には６ｖのＤＣが供給される。
【００３４】
図６を参照すると、本考案による血圧計の測定および表示方法は、アームカフ内部の空気圧を感知し、表示コンポーネントのパネルに取り付けられた光柱およびデジタル表示を駆動して表示させるための測定および表示するステップを含む。より詳細には、測定および表示するステップは、圧力センサーによってアームカフ内部の空気圧を感知してアナログ電気信号を取得するステップＳ１、アナログ電気信号をデジタル電気信号に変換するステップＳ２、デジタル電気信号を分析および処理して駆動信号を生成するステップＳ３、および駆動信号に応じて光柱およびデジタル表示を駆動して表示させるステップＳ４を含む。
【産業上の利用可能性】
【００３５】
本考案の実施形態の回路は、一般的な産業上の制御および測定技術を使用して実行することができる。
【００３６】
本考案を特定の実施形態を参照して説明したが、当業者であれば、本考案は上記の実施形態に制限されないことを理解するであろう。本考案のすべての技術的解決策または技術的特徴、例えば測定および表示するステップと光柱の均等な変形例または組合せの適用などは、本考案の保護の範囲内に含まれる血圧計を構成する。したがって、添付の特許請求の範囲は、実施形態の精神から逸脱することなく、すべての改変形態および代替形態を包含するものである。
【符号の説明】
【００３７】
１  アームカフ
２  表示コンポーネント
３  光柱およびデジタル表示
３−１  光柱
３−２  デジタル表示
４  制御回路
４−１  圧力センサー
４−２  Ａ／Ｄ変換器
４−３  中央処理装置（ＣＰＵ）
４−４  表示ドライバ
５  固定エンクロージャ
５−１  ラスター
６  回路基板
６−１  ＬＥＤ表示デバイス
７  固定エンクロージャ
７−３  固定溝
８  ラスターバー
８−１  ラスター
【図１】
0003162855.tif 000003
【図２】
0003162855.tif 000004
【図３】
0003162855.tif 000005
【図４】
0003162855.tif 000006
【図５】
0003162855.tif 000007
【図６】
0003162855.tif 000008
【手続補正書】
【提出日】平成22年7月12日(2010.7.12)
【手続補正１】
【補正対象書類名】実用新案登録請求の範囲
【補正対象項目名】全文
【補正方法】変更
【補正の内容】
【実用新案登録請求の範囲】
【請求項１】
順次接続されたアームカフ、制御回路、および表示コンポーネントを含む血圧計であって、前記表示コンポーネントは、前記表示コンポーネントのパネルに取り付けられた光柱およびデジタル表示を含み、前記制御回路は、血圧を測定する目的で、前記アームカフ内部の空気圧を感知し、前記光柱およびデジタル表示を駆動して表示させるために、前記表示コンポーネントのケース内に配設されていることを特徴とする血圧計。
【請求項２】
前記制御回路が、前記アームカフ内部の空気圧を感知してアナログ電気信号を取得するために前記アームカフに接続されている圧力センサーと、
前記アナログ電気信号をデジタル電気信号に変換するために前記圧力センサーに接続されているＡ／Ｄ変換器と、
前記デジタル電気信号を分析し処理して駆動信号を生成するためにＡ／Ｄ変換器に接続されている中央処理ユニット（ＣＰＵ）と、
前記駆動信号に応じて前記光柱およびデジタル表示を駆動して表示させるために前記ＣＰＵに接続されている表示ドライバとを含む、請求項１に記載の血圧計。
【請求項３】
前記光柱およびデジタル表示が、ＬＥＤ光柱、ＬＣＤ光柱、ＬＥＤデジタル表示、およびＬＣＤデジタル表示のいずれか、または前記光柱およびデジタル表示の任意の組合せを含む、請求項２に記載の血圧計。
【請求項４】
前記光柱およびデジタル表示がＬＥＤ光柱またはＬＣＤ光柱を含む場合に、前記ＬＥＤ光柱またはＬＣＤ光柱に対応する前記パネル上の位置に血圧の目盛が記されている、請求項３に記載の血圧計。
【請求項５】
前記ＬＣＤ光柱が、前記表示ドライバの駆動中に測定値のＬＣＤ光柱表示を実現するために、前記表示ドライバに接続されている細長い円柱状のＬＣＤ液晶パネルを含む、請求項３または４のいずれか一項に記載の血圧計。
【請求項６】
前記ＬＣＤ光柱が、前記ＬＣＤ液晶パネルの下に設置された細長い円柱状のＬＥＤのバックライト光源をさらに含む、請求項５に記載の血圧計。
【請求項７】
前記ＬＥＤ光柱が、固定エンクロージャと、回路基板とを備えており、前記固定エンクロージャ上にはラスターが配設されており、前記回路基板は前記固定エンクロージャ内に配設され、前記回路基板上にはＬＥＤ表示デバイスが配設され、前記ＬＥＤ表示デバイスの同じ極性の一方の端部がまとめて前記表示ドライバに接続され、前記複数のＬＥＤ表示デバイスの同じ極性の他方の端部が別個に前記表示ドライバに接続されている、請求項３に記載の血圧計。
【請求項８】
前記ＬＥＤ光柱が、固定エンクロージャと、回路基板と、ラスターバーとを備えており、前記ラスターバーは前記固定エンクロージャと嵌め合い連結されており、前記ラスターバーはラスターを備えており、前記回路基板は前記固定エンクロージャ内部に取り付けられ、前記回路基板上はＬＥＤ表示デバイスを備えており、前記ＬＥＤ表示デバイスの同じ極性の一方の端部がまとめて前記表示ドライバに接続され、前記ＬＥＤ表示デバイスの同じ極性の他方の端部が別個に前記表示ドライバに接続されている、請求項３に記載の血圧計。
【請求項９】
ＬＥＤ表示コンポーネントが、樹脂でパッケージされたＬＥＤチップまたはＬＥＤ発光管である、請求項７または８のいずれか一項に記載の血圧計。